(57)【要約】金属から形成された軽量化ボディーを有し、その中に形成された一連のポートを有する火器のための複合レシーバ。カバーシェルは、このポートを覆いそして実質的に密閉するために、このレシーバボディーを覆って適用される。火器のためのレシーバであって、該レシーバは、以下：耐久性があり、高強度材料から形成されたレシーバボディであって、該レシーバボディは、該レシーバボディの重量を有意に低減するための該レシーバボディに沿って間隔をあけて形成された一連のポートを備える、レシーバボディ；および軽量材料から形成されて、かつ、該レシーバボディの該ポートを覆いそして実質的に密閉するように形成された、カバーシェルを備える、レシーバ。
2007525634.tif 000002
【特許請求の範囲】
【請求項１】
火器のためのレシーバであって、該レシーバは、以下：
耐久性があり、高強度材料から形成されたレシーバボディであって、該レシーバボディは、該レシーバボディの重量を有意に低減するための該レシーバボディに沿って間隔をあけて形成された一連のポートを備える、レシーバボディ；および
軽量材料から形成されて、かつ、該レシーバボディの該ポートを覆いそして実質的に密閉するように形成された、カバーシェル
を備える、レシーバ。
【請求項２】
請求項１に記載のレシーバであって、ここで、前記カバーシェルが、プラスチック、ナイロン、カーボンファイバー、ポリビニルクロリド、アセトール樹脂、ポリエーテルエーテルケトン、ならびにそれらのコンポジットおよび組合せ物からなる群より選択される合成物質を含む、レシーバ。
【請求項３】
請求項１に記載のレシーバであって、ここで、前記カバーシェルが、合成コンポジットまたは金属材料を含む、レシーバ。
【請求項４】
請求項１に記載のレシーバであって、ここで、前記レシーバボディの高強度材料が、チタンを含む、レシーバ。
【請求項５】
請求項１に記載のレシーバであって、ここで、前記レシーバボディの高強度材料が、スチールを含む、レシーバ。
【請求項６】
請求項１に記載のレシーバであって、ここで、前記ポートが、前記火器の発砲時に該レシーバボディに作用する応力に耐える該レシーバボディの強度を低減することなしに、該レシーバの重量低減を最適化するように選択されたサイズおよび数を有している、レシーバ。
【請求項７】
請求項１に記載のレシーバであって、ここで、前記レシーバボディは、低減された外形で形成された、レシーバ。
【請求項８】
請求項１に記載のレシーバであって、ここで、前記カバーシェルが、装飾用設計特徴を有している、レシーバ。
【請求項９】
請求項１に記載のレシーバであって、ここで、前記カバーシェルが、接着性物質によって前記レシーバボディに取り付けられる、レシーバ。
【請求項１０】
請求項１に記載のレシーバであって、ここで、前記カバーシェルが、留め具によって前記レシーバボディに取り付けられる、レシーバ。
【請求項１１】
火器のための、高強度であり、軽量なレシーバを形成する方法であって、該方法は、以下：
高強度であり、耐久性のある物質からレシーバボディを形成する工程；
間隔を開けて該レシーバボディにおける一連のポートを形成するように該レシーバボディを軽量化する工程であって、ここで、該ポートの数およびサイズは、該火器の発砲時に生じる応力に耐えるのに十分な該レシーバボディの十分な強度を保持しつつ、最適な重量低減を提供するように選択される、工程
該レシーバボディにおけるポートを実質的に覆うような位置にカバーシェルを置く工程；および
該カバーシェルを該レシーバボディに取り付ける工程
を包含する、方法。
【請求項１２】
請求項１１に記載の方法であって、該方法は、以下：
前記カバーシェルを、以下：
プラスチック、ナイロン、カーボンファイバー、ポリビニルクロリド、アセトール樹脂、ポリエーテルエーテルケトン、ならびにそれらのコンポジット、金属、合金および組合せ物から選択される、材料から形成する工程
を包含する、方法。
【請求項１３】
請求項１１に記載の方法であって、ここで、前記レシーバボディを形成する工程が、チタンまたはスチールから前記レシーバボディを形成する工程を包含する、方法。
【請求項１４】
請求項１１に記載の方法であって、ここで、前記レシーバボディを形成する工程が、前記レシーバボディを高強度金属材料から鋳造する工程を包含する、方法。
【請求項１５】
請求項１１に記載の方法であって、ここで、前記レシーバボディを形成する工程が、高強度金属材料から前記レシーバボディを鍛造する工程を包含する、方法。
【請求項１６】
請求項１１に記載の方法であって、ここで、前記カバーシェルを取り付ける工程が、前記カバーシェルとレシーバボディとの間に接着剤を塗布する工程を包含する、方法。
【請求項１７】
操作性向上のために、外形を大きくすることなく、重量が低減された火器であって、該火器は、以下：
銃身；
火器制御装置；および
該銃身に接触しているレシーバ
を備え、該レシーバは、以下：
軽量化されたボディであって、該ボディは、該ボディに所望の重量低減を提供するために一連の開口部がその上に形成されており、そして、該ボディは、重量および大きさを低減しても、弾薬を発射するときに生じる応力に耐えるように適応された耐久性のある、金属材料から形成される、ボディ；および
該ボディに形成された開口部を実質的に覆うように該ボディにあてがわれたカバー
を備える、
火器。
【請求項１８】
請求項１７に記載の火器であって、ここで、前記カバーシェルが、プラスチック、ナイロン、カーボンファイバー、ポリビニルクロリド、アセトール樹脂、ポリエーテルエーテルケトン、ならびにそれらのコンポジットおよび組合せ物から選択される、火器。
【請求項１９】
請求項１７に記載の火器であって、ここで、前記カバーシェルが、合成コンボジットまたは金属材料を含む、火器。
【請求項２０】
請求項１７に記載の火器であって、ここで、前記カバーシェルが、装飾用設計特徴を備えている、火器。
【請求項２１】
請求項１７に記載の火器であって、ここで、前記ボディが、アルミニウムから形成され、そして、前記カバーが、該ボディに硬さおよび構造的支持を提供するために適応された硬質合成物質から形成される、火器。
【請求項２２】
請求項１７に記載の火器であって、ここで、前記ボディが、チタンまたはスチールのような高強度金属材料を含む、火器。
【請求項２３】
前記レシーバボディが、軽量化された外形で形成される、請求項１７に記載の火器。
【発明の詳細な説明】
【技術分野】
【０００１】
（関連出願に対する相互参照）
本特許出願は、本特許出願で指名される発明者により米国特許出願番号６０／４７１，２６６として、先に出願され、同時係属中の仮特許出願（発明の名称「Ｃｏｍｐｏｓｉｔｅ  Ｒｅｃｅｉｖｅｒ  ｆｏｒ  Ｆｉｒｅａｒｍｓ」、２００３年５月１６日出願）の形式化である。本特許出願は、仮特許出願を規定する法令および規則（特に、米国特許法１１９（ｅ）（１）ならびに米国特許法施行規則１．７８（ａ）（４）および（ａ）（５））に従って、引用される仮特許出願の出願日に関する利益を主張する。仮特許出願の明細書および図面は、明確に、本明細書中に参考として援用される。
【０００２】
（発明の分野）
本発明は、概して、火器に関し、より具体的には、一般的に軽量で増大した強度を提供する火器用の複合レシーバに関する。
【背景技術】
【０００３】
（発明の背景）
火器の一部（例えば、ライフル銃またはショットガン用のレシーバ）を形成するための軽量の物質（例えば、アルミニウム）の使用が、近年かなり増加している。そのような軽量の物質は、結果的に持ち運びの容易さ、取り扱いの容易さ、および屋外での使用の容易さのために減量した火器を提供する。例えば、火器の重量を減少させることによって、使用者は、一般に、例えば、動いている標的（例えば、鳥、スポーツ用のクレイなど）を追跡するために、その火器をより素早くかつ容易に操作し得る。軽量とはまた、屋外で使用者が負わなければならない負荷が少ないことを意味する。
【０００４】
しかし、そのような軽量の物質の使用に伴う問題は、このような物質が、代表的には、それほど耐久性ではなく、強度が犠牲になること、そして軽量と引き換えに一連の弾薬を発砲する際に生じる極度の圧力および応力に耐えるための能力であった。例えば、作用スリーブおよびボルトがオープンポジションに対して後方に押され、このオープンポジションで、先に発砲されたカートリッジが排出され、チャンバーが新しいラウンドを受容する準備がなされ、その後、一連の弾薬を発砲する際に生じるガスの捕獲および逆流により、新しいラウンドがチャンバーに装填される、ガス圧式の自動装填ショットガンのような火器において、その火器のレシーバが負わなければならない極度のチャンバー圧力およびボルトの移動により生じる力が存在する。長期にわたる、繰り返しの使用により、このような極度な応力は、軽量の物質において亀裂および潜在的な故障を引き起こし得る。アルミニウムのような軽量の物質を使用することのさらなる結果として、レシーバに対する応力レベルまたは必要条件を満たすために、レシーバは、代表的には、従来のスチール火器レシーバと比較して、有意に増大したサイズおよび／または外形でなければならない。従って、たとえレシーバが軽量であってもその容積または体積は、一般的には、有意に増大されなければならず、これは、その火器の取り扱いおよび操縦性に影響を及ぼし得る。さらに、現在火器用に使用されているほとんどの軽量の物質（例えば、アルミニウム）は、代表的には、使用中の塩、埃および他の環境的要素への曝露による腐食に対してより感受性である。
【発明の開示】
【発明が解決しようとする課題】
【０００５】
従って、当該分野における上記の問題ならびに他の関係する問題および無関係の問題に対処する、火器用の軽量で高強度のレシーバに対して存在する必要性が認められ得る。
【課題を解決するための手段】
【０００６】
（詳細な説明）
ここで、図面（いくつかの図にわたって同じ数字は同じ部分を示す）を参照すると、図１〜３は、本発明を示し、本発明は、概して、火器１１用の軽量で高強度の複合レシーバシステム１０（図３）に関し、この複合レシーバシステム１０は、その火器の取り扱いおよび操縦性の改善を促進するために、低減した外形および／またはサイズを有する。例示する目的のために、本発明は、ショットガン（例えば、ガス式の自動装填ショットガン）とともに使用するためのレシーバとして示されている。しかし、本発明の原理がまた、種々の他の型の火器（ライフル、ポンプならびに他の型のショットガンおよび他のロングガンを含む）用のレシーバの構成に、ならびに拳銃用のフレームの構成で使用するために適用され得ることが、当業者により理解される。
【０００７】
添付の図１〜３に示されるように、本発明の複合レシーバ１０は、概して、レシーバ本体１２を備え、その上に、シェルまたはカバー１３が提供される。レシーバ本体は、概して、優れた強度特性を有する高強度の物質（代表的には、チタン）で形成される。例えば、アルミニウムと比較して、チタンは、アルミニウムおよびアルミニウム合金で約３０〜６０ｋｐｓｉなのに対して、約１２８ｋｐｓｉの耐力を有し、そしてチタンは、一般的に、アルミニウムで１平方インチ当たり０．１０１  ｌｂｓの密度なのに対して、１平方インチ当たり約０．１６  ｌｂｓ．を超える密度を有する。さらに、種々の他の耐久性があり高強度の金属物質（例えば、スチール）または同様に高い強度、耐久性および腐食耐性特性を有する金属合金もまた、レシーバ本体を形成するために使用され得ることが、当業者によって理解される。
【０００８】
図２および３に示されるように、レシーバボディー１２は、一般的に、構造的に最適化された形状および従来の軽量レシーバよりも細い／小さな外形および／または低減された大きさまたはかさ（ｂｕｌｋ）で設計され、そして火器の操作性および取り扱いを向上させるために、必要な場合または所望な場合、サイズまたは外形がさらに低減され得る。レシーバボディー１２は、図３に示されるように、火器１１の銃身１６に接続される第１端部または前方端部１４を備え、さらに、火器の銃床１８が取り付けられる第２端部または後方端部１７を備え、火器の引き金または火器制御装置１９がそれに隣接して配置される。レシーバボディー１２は、さらに、図１および２に示されるように軽量化され、部分が、重量の低減を提供するためにレシーバボディーから切断または除去される。レシーバボディーの軽量化または低減は、所望の最適なまたは最大の重量低減、および低減した外形を可能にするように最適化され、一方で、依然として、レシーバが火器から弾薬を発砲する際に供される応力および／または力に耐えるのに十分な強度をレシーバボディーに提供する。レシーバボディーの低減または軽量化の量は、さらに、一般的に、このレシーバが製造されるかまたは組み立てられる火器の型に依存して変化する。
【０００９】
図１および２に示されるように、レシーバボディー１２は、一般的に、頂部部分または頂部壁２２、下部部分または底壁２３、および直立した側壁２４を備え、これは、弾薬が、発砲のためにマガジンから火器１１の銃身１６（図３）のチャンバに通過する／操作されるチャンバ２６をその中に規定する。発砲の後に、消費されたカートリッジを、レシーバを通してレシーバから排出する。図１〜２にさらに示されるように、切断部分または陥凹領域もしくは部分３０はまた、一般的に、その第１端部１４と第２端部１７との間でこのレシーバボディー１２に沿って形成される。切断部分または陥凹部分３０は、一般的に、１つの側壁２４の隣接する下縁部または下部分３１から、レシーバボディーの頂部部分２２を越えて、他の側壁の下縁部へと下がるように延在する。陥凹部分または切断部分３０のための他の形状または構成が所望のように形成または使用され得ることが理解される。
【００１０】
一連のコアまたはフレーム空間、ポートもしくは開口部３２は、さらに、図２に示されるようにレシーバボディー１２の側壁２４に形成される。コア空間３２は、所望なようにまたは必要なように実質的に矩形、卵形、台形、または種々の他の形状であり得、レシーバの形状を構造的に最適化する結果としての、数およびサイズであり、このレシーバボディーに沿って種々の間隔を開けた点または位置で形成される。このように、レシーバボディーの高強度材料は、図１〜２において３３で示されるように、それらの領域に沿ってインタクトなままであり、弾薬の発砲の際に生成される遊底（ｂｏｌｔ）の動きおよび他の応力／力のショックまたは衝撃に耐えるように、支持および強度をレシーバーに提供することが必要であり、一方で、レシーバボディーの他の領域において、材料または質量は、重量節約または低減を提供するために、このボディーから除去される。
【００１１】
図１および２においてさらに示されるように、カバーシェルまたはシールド１３は、一般的に、レシーバボディーの側壁２４に形成される開口部またはポート３２を覆い、実質的に密閉するように、このレシーバボディー１２に適合し、適用される。カバーシェル１３は、一般的に、カーボンファイバーまたは種々のプラスチック材料（例えば、ナイロン、ポリビニルクロリド、アセトール樹脂、ポリエーテルエーテルケトンまたは他の類似の材料）のような合成材料または複合材料から形成されて、種々の所望の設計、堅さおよび／または他の構造的特徴または特性を提供する。例えば、いくつかの実施形態において、カーボンファイバーが使用され、これは、カバーシェルおよびレシーバボディーに種々の設計効果、ならびにさらなる堅さ、耐久性、および／または他の構造もしくは特性を提供する。レシーバボディーに形成されるポートまたは開口部を覆うためのシートまたはシェルに形成され得る金属または合金のような他のタイプの材料を利用することがさらに可能である。
【００１２】
図２に示されるように、上記カバーシェルは、概して、レシーバボディの、切り取った部分か、もしくは陥凹部分３０の外観または形に実質的に類似する形状または形を有し、概して最小限の、または全体の質量が減少した複合レシーバ、および／または、捕捉され得るか、または火器の使用を他の方法で干渉し得る突き出た先端を有さない、なめらかな外形を提供するように、切り取ったかもしくは陥凹部分の境界もしくはボーダー３４内に、同一平面で適合させるような厚さであり得る。上記カバーシェルはまた、種々の厚さで形成され得、必要な場合、所望のレベルの堅さおよび／またはレシーバボディに対するさらなる構造的な支持を提供するために、さらに種々の物質から形成され得る。例えば、このようなレシーバに必要な強度を提供するために、レシーバボディを、レシーバボディに対するさらなる支持を提供するために、約０．１インチ〜約１インチの厚さに形成され得る高強度物質のカバーシェルを利用して、代表的に大きさが有意に大きい従来のアルミニウムレシーバと比較した場合に軽量かつ低減した外形を有するアルミニウムまたはアルミニウム合金物質から形成することは、本発明を用いて可能である。あるいは、レシーバボディに使用されるより高強度の物質（例えば、チタン、スチールまたは他の類似する物質）を用いて、より薄い、すなわち約０．５〜１０ｍｍ以下のカバーシェルが、所望の堅さおよび／または構造的な支持の量に依存して使用され得る。
【００１３】
上記カバーシェルは、例えば、接着剤（例えば、エポキシ樹脂または種々の他の型の樹脂）の使用により代表的に上記レシーバボディに固定されるか、または他の方法で、溶接、融合またはファスナー（例えば、レシーバボディ上に形成された陥凹部に係合し、留め得るリベットまたは突起）を用いることにより、上記カバーシェルが、しっかりとレシーバボディに接触して固定されるように、取り付けられ得る。あるいは、上記カバーシェルは、必要な場合、もしくは所望の場合にカバーシェルを取り除き、交換することを可能にするように、解除可能なように上記レシーバボディに取り付けられ得るか、または締められ得る。一旦上記レシーバボディに取り付けられると、上記カバーシェルは、上記レシーバボディの内部チャンバ２６を、ほこり、湿度および破片から保護するために、レシーバボディ内に形成されたポートまたは開口部３２をカバーし、実質的に密閉する。
【００１４】
上記カバーシェルはまた、上記火器を、火器の所有者に合わせるようにカスタマイズするための機構または手段を提供する。例えば、上記シェルは、上記火器を、購入者の要望または要求に合わせるように独自のものにすることを可能にするように、種々の色で形成され得るか、または、シェルに適用される種々のデザインもしくは渦巻き模様で形成され得る。さらに、いくつかの実施形態において、上記カバーシェルは、上記火器の重量および性能を変化させることなく、それらの火器に対する異なる外観または見かけを提供するために、取り除かれ得、そして／または新規の／異なる、購入者によって所望される概観もしくは特徴を有するカバーシェルで取替えられ得る。さらになお、上記カバーシェルに使用される物質は、異なる外観および／または仕上がりまたは、上記火器のデザインおよび外観をカスタマイズする工程におけるより大きな可撓性を可能にする全ての他の装飾的な効果を提供するために変動し得る。
【００１５】
従って、本発明は、細長い外形または構造を有し、十分な強度および増強した腐食耐性特性をレシーバに提供するように高強度の物質から形成される複合レシーバを提供し、同時に、より軽量であるが、より強度がなく、潜在的にあまり耐久性でない物質を用いた、従来の軽量の火器に類似する顕著に軽量である火器を提供する。さらに、上記カバーシェルは、さらなる堅さおよび他の構造支持特性を提供し、ほこりおよび破片に対してレシーバーを実質的に密閉することに加えて、所有者自身の要望または趣味に合わせるように上記火器の外観をより独自のものにし、そして、カスタマイズすることを可能にするように、変動するデザインの特徴の使用を可能にする機構をさらに提供する。
【００１６】
好ましい実施形態または特徴を参照して、本発明を上記で考察したが、種々の付加、欠失、改変および変化が、本発明の精神および範囲を逸脱することなく、本発明になされ得ることが、当業者にさらに理解される。
【図面の簡単な説明】
【００１７】
【図１】図１は、本発明の複合レシーバを示す側面立面図である。
【図２】図２は、本発明の複合レシーバを示す分解斜視図である。
【図３】図３は、カバーシェルが取り付けられた複合レシーバを示す側面立面図である。
【図１】
2007525634.tif 000003
【図２】
2007525634.tif 000004
【図３】
2007525634.tif 000005